(57)【要約】【課題】本体外郭に水の飛沫を受けても内部の電気部品が被水せず、メッキ等の装飾性が良い部材を使用しても、清掃等のメンテナンス性が良く衛生的なアルカリイオン整水器を提供することを目的とする。【解決手段】本発明にかかるアルカリイオン整水器は、単本体外郭ケース１７と操作表示部基板１６−ｃ間に防水ケースを設け装飾性が良いボタンを着脱自在に構成したので安全でデザイン性に優れ、かつ優れた衛生性を有し、水道水等の原水を電気分解して、飲用、医療用として利用するアルカリイオン水及び化粧水、殺菌洗浄水等として利用する酸性イオン水を製造するためのアルカリイオン整水器を提供できる。【選択図】図２
2005211814.tif 000002
【特許請求の範囲】
【請求項１】
供給された原水を電気分解してアルカリイオン水または酸性イオン水を生成する電解槽と前記電解槽への通電を制御する制御部と、前記制御部へアルカリイオン整水器の動作を選択し指示する複数の操作スイッチと前記制御部から信号でアルカリイオン整水器の動作状態を表示する複数の表示ランプを備えた操作表示基板を有し前記操作表示基板を固定する突起と前記操作スイッチを押下する板バネ形状と一体に設けた突起と前記表示ランプの光を伝達する突起を有する光透過性の基板ケースで覆い、前記基板ケースの表面に前記操作スイッチに対応するエンボスを有するメンブレンシートで覆い、アルカリイオン整水器の外郭ケースの開口部に内面より前記基板ケースを接触配置し、前記メンブレンシートと前記外郭ケースの開口部の内縁間に弾性体のパッキンシートを挟みこむように配置した操作表示機構部に前記板バネ形状と一体に設けた突起を前記メンブレンシートを介して押下する突起を設けたボタン部材と前記表示ランプの光を透過表示する光透過性の表示部材を着脱自在に設けたことを特徴とするアルカリイオン整水器。
【請求項２】
前記操作スイッチの外側に前記表示ランプを同心円状に配置し、前記ボタン部材外周に同心円状に前記表示部材をリング状に設け前記表示部材の外周に複数の突起を設け、前記外郭ケースの開口部に前記表示部材の外周に設けられた複数の突起の輪郭に対応した切欠きを設け、前記表示部材を前記外郭ケースの切り欠きに合わせて挿入後、回転させ前記表示部材の突起を前記外郭ケース内面に配置させ、前記表示部材と前記ボタン部材を前記外郭ケースに係止させたことを特徴とする請求項１記載のアルカリイオン整水器。
【請求項３】
前記メンブレンシートと前記基板ケースと前記操作表示基板に同心円状開口を設け前記基板ケースの開口に接続し前記操作表示基板の開口を貫通しアルカリイオン整水器外郭の開口に連通したチューブ部材を有することを特徴とする請求項１記載のアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性イオン水を生成し、陰極側にアルカリイオン水を生成するものである。
【０００３】
以下、従来の連続電解方式のアルカリイオン整水器について説明する。図５に従来のアルカリイオン整水器の概略構造図を示しており、図６に従来のアルカリイオン整水器の操作表示部を示す図、図７に従来のアルカリイオン整水器の操作表示部の断面図を示す、１は水道水等の原水管、２は水栓、３は水栓２を介して原水管１と接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水を確認し、コントローラーに制御指示する流量検知手段、６はグリセロリン酸カルシウムや乳酸カルシウム等のカルシウムイオンを原水中に付与し原水導伝率を高めるカルシウム供給部、７は流量センサ５を経由してきた水を電気分解してアルカリイオン水、酸性イオン水を生成する電解槽、８は電解槽７を２分し、電極室を形成する隔膜、９及び１０は隔膜８で２分されて形成された各電極室に配置された電極板、１１は電極板１０側の水（電極板１０が陽極の場合は酸性イオン水）を排出する排水管、１２は電極板９側の水（電極板９が陰極の場合はアルカリイオン水）を吐出する吐水管、１３は電源投入用プラグ、１４は電源投入用プラグ１３からの交流電源を直流電源に変換する電源部、１５はアルカリイオン整水器本体３の動作を制御するコントローラー、１６は利用者がイオン水の水質やｐＨ強度、各種機能の選択設定を行なう操作表示部でありコントローラー１５に接続されている。図６に従来の操作表示部の構造を示す、操作表示部１６において１６−ｃは基板、１６−ａはスイッチ、１６−ｂは表示ランプである。複数のスイッチ１６−ａと複数の表示ランプ１６−ｂが基板１６−ｃ上に配置され、基板１６−ｃは整水器本体の外郭ケース１７の内面に固定されている。外郭ケース１７には板バネとスイッチ１６−ａを押下する突起１７−ａが一体に複数形成され、表示ランプ１６−ｂの光が通過する複数の穴１７−ｂが開口している。そして、操作表示部１６の外郭ケ−ス１７の外郭表面にはメンブレンシート１８が貼付されておりスイッチおよび表示ランプの役割および、装飾が印刷されている。
【０００４】
次ぎに、以上のように構成された従来のアルカリイオン整水器本体３について、以下そのアルカリイオン水を生成する際の動作を説明する。利用者はアルカリイオン水生成モード、酸性イオン水生成モードまたは浄水モード等所望の水質モードおよびｐＨ強度を操作表示部１６の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。
【０００５】
一方、電源投入用プラグ１３からはＡＣ１００Ｖが供給され、電源部１４内のトランス及び制御用直流電源で電気分解に必要な直流電圧電流を発生させ、コントローラー１５を介して電解槽７の電極板９及び１０に電気分解に必要な電力が給電される。このとき相対
的にプラス電圧を印加する電極板を陽極、マイナス電圧を印加する電極板を陰極とすると、電解槽７内に隔膜８で仕切られた陽極室と陰極室とが形成される。尚、アルカリイオン水生成モード時においては電極板１０が陽極となり、電極板９が陰極となる。また酸性イオン水生成モード時においては電極板９が陽極となり、電極板１０が陰極となる。
【０００６】
さて、通水後コントローラー１５は流量検知手段５からの出力信号を読み取り、単位時間当たりにアルカリイオン整水器本体３に流れる流量レベルが一定量を越えるとこの状態を通水中と判断する。この時、すでに選択されている水質モードおよびｐＨ強度に応じた電気分解条件のもとコントローラー１５は電解槽７に対して所定の電力を供給する。これにより、アルカリイオン水生成モード時においては電極板９が陰極かつ電極板１０が陽極となり吐水管１２よりアルカリイオ水ンが吐出されると共に排水管１１より排水を排出する。酸性イオン水生成モード時においては電極板９が陽極かつ電極板１０が陰極となり吐水管１２より酸性イオン水が吐出されると共に排水管１１より排水を排出する。また、浄水モード時においては電極板９及び１０には電力が供給されず吐水管１２より浄水が吐出されると共に排水管１１より排水を排出する。その後、単位時間当たりにアルカリイオン整水器本体に流れる流量レベルが一定量を下回るとこの状態を止水と判断し、電解槽７への電力の供給を終了する。
【特許文献１】実開平０９−４３３号公報
【発明の開示】
【発明が解決しようとする課題】
【０００７】
このアルカリイオン整水器においては、キッチンのワークトップ上で使用されるため本体外郭に水の飛沫を受けやすいしたがって内部の電気部品が被水しないように構成することが要求されている。特に操作部はスイッチを押下するための摺動機構が必要で外郭に隙間が生じるためメンブレンシート等を外郭ケース上に貼付し水が本体内に侵入することを防止する構造が多く使用されている、しかし、メンブレンシートが最外側になるため外観の装飾が印刷になりデザイン上の制約があるという問題を有していた。また、メッキ等の装飾性が良いボタン部材を使用した場合、その摺動部に水が侵入しするため裏面よりゴムシート等の部材を押し当て水密性を保つ構造が多く使用されるが、摺動部に水垢がたまりボタン部材の動きが悪くなる、また不衛生になるという問題を有していた。
【０００８】
そこで本発明は、メッキ等の装飾性が良い部材を使用し、かつ電気部品の被水を防止し清掃等のメンテナンス性が良いアルカリイオン整水器を提供することを目的とする。
【課題を解決するための手段】
【０００９】
この課題を解決するために本発明は、単本体外郭ケースと操作表示基板間に防水ケースを設け装飾性が良いボタンを着脱自在に構成したものである。
【００１０】
これにより、安全でデザイン性に優れ、かつ衛生性がよいアルカリイオン整水器が得られる。
【発明の効果】
【００１１】
本発明は、本体表面に被水しても電機部品が被水することなく安全で、デザイン性がよく、ボタンの摺動部に水垢が付着しても清掃できボタンの動きが損なわれる事なく、衛生的なアルカリイオン整水器が得られる。
【発明を実施するための最良の形態】
【００１２】
上記課題を解決するためになされた第１の発明は、アルカリイオン水または酸性イオン水を生成するアルカリイオン整水器において、操作表示基板を被水から保護するケースとパッキンシートと着脱自在のボタン部材および表示部材を備えたことを特徴とするアルカ
リイオン整水器であり、操作表示基板が被水することなく安全で、かつボタン部材と表示部材が着脱可能で清掃できるので衛生性が良いという作用を有する。
【００１３】
本発明の第２の発明は、第１の発明において、操作スイッチの外側に表示ランプを同心円状に配置し、ボタン部材外周に同心円状に表示部材をリング状に設け表示部材の外周に複数の突起を設け、外郭ケースの開口部に表示部材の外周に設けられた複数の突起の輪郭に対応した切欠きを設け、表示部材を外郭ケースの切り欠きに合わせて挿入後、回転させ表示部材の突起を外郭ケース内面に配置させ、表示部材とボタン部材を外郭ケースに係止させる構造を備えたことを特徴としたものであり、簡便なボタン部材と表示部材の固定方式によりメンテナンス性を高めることができるという作用を有する。
【００１４】
本発明の第３の発明は、第１の発明においてメンブレンシートと基板ケースと操作表示基板に同心円状開口を設け基板ケースの開口に接続し操作表示基板の開口を貫通しアルカリイオン整水器底部の開口に連通したチューブ部材をを備えたことを特徴としたものであり、メンブレンシートとボタン部材、表示部材間に侵入した水を本体外へ排出するという作用を有する。したがって、ボタン部材と表示部材の下に水が溜まらないので更に衛生性が良いという作用を有する。
【００１５】
（実施の形態１）
以下、本発明の実施の形態について、図１を用いて説明する。図１は本発明の実施の形態におけるアルカリイオン整水器の概略構造図である。図２は本発明の操作部の実施の形態１を示す図である。図１、図２において、従来の技術の説明で用いた符号と同一符号のものは本実施の形態においても基本的に同一であるため、構成および動作等詳細な説明は従来の技術のところに譲って省略する。
【００１６】
図に示すように１は水道水等の原水管、２は水栓、３はアルカリイオン整水器本体、４は浄水部、５は流量制御手段、６はカルシウム供給部、７は電解槽、８は隔膜、９及び１０は電極板、１１は排水管、１２は吐水菅、１３は電源投入用プラグ、１４は電源部、１５はコントローラー、１６は操作表示部である。操作表示部１６において１６−ｃは基板、１６−ａはスイッチ、１６−ｂは表示ランプである。１７は外郭ケースである。複数のスイッチ１６−ａと複数の表示ランプ１６−ｂが基板１６−ｃ上に配置され、基板１６−ｃは光透過性の基板ケース１９の内面に固定されている。基板ケース１９には板バネとスイッチ１６−ａを押下する突起１９−ａが一体に複数形成され、表示ランプ１６−ｂの光が伝達する複数の突起１９−ｂが柱状に設けられている。そして、基板ケ−ス１９の表面にはメンブレンシート２０が貼付されている。２１は弾性体のシートで構成されるパッキンである。パッキン２１は外郭ケース１７の開口部の内縁に貼付されている。基板ケース１９はパッキン２１を介して外郭ケース１７に係止される。２２は使用者が直接操作するボタン部材である。ボタン部材２２の裏面は基板ケース１９に設けられた突起１６−ａを押下する突起２２−ａを備えている。ボタン部材２２の外周は全周あるいは一部にフランジ２２−ｂが設けられている。２３は光透過性の樹脂で構成された表示部材である。表示部材２３の内周にはボタン部材２２のフランジ２２−ｂに対応する凹部２３−ｂが設けられている。表示部材２３の外周にはネジ形状が構成されており外郭ケース１７の開口部内周に設けられたネジ形状に係止される。
【００１７】
このように構成したので、ボタン部材２２は表示部材２３により着脱自在に外郭ケース１７に係止されるので操作表示部が水垢等で汚染された場合は、操作表示部を取り外して清掃することができる。
【００１８】
（実施の形態２）
本発明の実施の形態２について図３を用いて説明する。図３は本発明の操作部の実施の
形態２における分解組立図である。
【００１９】
表示部材２３の外周には突起２３−ｃが設けられており、突起２３−ｃの形状に合わせた切欠き１７−ａが外郭ケース１７に設けられている。基板ケース１９と外郭ケース１７の隙間は突起２３−ｃの高さより大きくなっており、突起２３−ｃを切欠き１７−ａに合わせて挿入し、表示部材２３を回転させると突起２３−ｃが外郭ケース１７と基板ケース１９の隙間に入り表示部材２３が外郭ケース１７に対し係止めされる。したがって、表示部材２３とボタン部材２２は外郭ケース１７に対して容易に着脱自在に係止される。
【００２０】
（実施の形態３）
本発明の実施の形態３について図４を用いて説明する。図４は本発明の実施の形態３における断面図である。
【００２１】
基板ケース１９とメンブレンシート２０、基板１６−ｃには同心の穴が１９−d、２０−d、１６−dが各各設けられており、基板ケースの穴１９−dに一方端が連通したチューブ２４が接続されている。チューブ２４の一方端は、本体底部に連通している。
【００２２】
本体に被水した水は、ボタン部材２２と表示部材２３、表示部材２３と外郭ケース１７の隙間をとおってメンブレン２０上に到達するがパッキン２１により基板ケース１７の外周には到達せず、基板ケースの穴１９−dからチューブ２４に導かれチューブ２４の一方端から本体外に排出される。
【産業上の利用可能性】
【００２３】
本発明にかかるアルカリイオン整水器は、単本体外郭ケースと操作表示基板間に防水ケースを設け装飾性が良いボタンを着脱自在に構成したので安全でデザイン性に優れ、かつ優れた衛生性を有し、水道水等の原水を電気分解して、飲用、医療用として利用するアルカリイオン水及び化粧水、殺菌洗浄水等として利用する酸性イオン水を製造するためのアルカリイオン整水器等として有用である。
【図面の簡単な説明】
【００２４】
【図１】本発明の実施の形態におけるアルカリイオン整水器の概略構造図
【図２】本発明の操作部の実施の形態１を示す図
【図３】本発明の操作部の実施の形態２における分解組立図
【図４】本発明の実施の形態３における断面図
【図５】従来のアルカリイオン整水器の概略構造図
【図６】従来のアルカリイオン整水器の操作表示部を示す図
【図７】従来のアルカリイオン整水器の操作表示部の断面図
【符号の説明】
【００２５】
１    原水管
２    水栓
３    アルカリイオン整水器本体
４    浄水部
５    流量検知手段
６    カルシウム供給部
７    電解槽
８    隔膜
９、１０    電極板
１１    排水管
１２    吐水菅
１３    電源投入用プラグ
１４    電源部
１５    コントローラー
１６    操作表示部
１６−ａ    スイッチ
１６−ｂ    表示ランプ
１６−ｃ    基板
１７    外郭ケース
１８    従来のメンブレンシート
１９    基板ケース
１９−ａ    スイッチを押下する突起
１９−ｂ    光を伝達する突起
２０    メンブレンシート
２１    パッキン
２２    ボタン部材
２３    表示部材
２４    チューブ
【図１】
2005211814.tif 000003
【図２】
2005211814.tif 000004
【図３】
2005211814.tif 000005
【図４】
2005211814.tif 000006
【図５】
2005211814.tif 000007
【図６】
2005211814.tif 000008
【図７】
2005211814.tif 000009